(57)【要約】【課題】  ［０００１］  本発明は、建物の雨樋等から取水した雨水を一時貯留して利用するための、地上に設置する雨水貯留装置に関するもので、狭い場所でも設置できる、必要な貯留量や設置場所の寸法に対応できる、景観を配慮した設計に対応できる、等の課題を解決しようとするものである。【解決手段】  ［０００２］  本発明では、任意の数の貯水タンクを水平方向に接続して貯水タンク列を形成し、任意の数の貯水タンク列を垂直方向に組み上げる構成にしているので、薄型で、望ましい幅と高さに設定することができる。併せて、設計を加えることが容易な構成なので、種々の材料のカバーを取り付けたり、プランター等と組み合わせたりすることや、外壁に沿って設置したり、塀の代用として設置したりすることで、景観との調和を図ることができる。【選択図】図１
2017193938.tif 000002
【特許請求の範囲】
【請求項１】
建物の雨樋等から取水した雨水を貯留して利用するために地上に設置する雨水貯留装置であって、
通気手段と側面に連通手段を備えた水密性の貯水タンクを水平方向に複数並べて、一端の前記貯水タンクから反対端の前記貯水タンクまで雨水が連通する貯水タンク列を形成し、前記貯水タンク列を垂直方向に複数段組み上げて、上段に位置する前記貯水タンク列内の貯水タンクと下段に位置する前記貯水タンク列内の貯水タンクとの間に上下の流路を設け、
任意の前記貯水タンクに建物の雨樋等から取水した雨水を取り入れる流入口を設け、
任意の前記貯水タンクに雨水を利用するための流出口を設けている雨水貯留装置。
【請求項２】
最上段の前記貯水タンク列内の一貯水タンクを第一貯水タンクとして、第一貯水タンクに建物の雨樋等から取水した雨水を取り入れる流入口を設け、
最下段の前記貯水タンク列内の最下流に当たる貯水タンクを最終貯水タンクとして、最終貯水タンクにオーバーフロー管への流出口を設け、
第一貯水タンクに流入した雨水が、最終貯水タンクを経てオーバーフロー管へ流出する過程で、全ての貯水タンクを通過することとする、請求項１に記載の雨水貯留装置。
【請求項３】
前記第一貯水タンクに、第一貯水タンク内の底部に溜まった雨水を排出するドレインを設けている、請求項１または２に記載の雨水貯留装置。
【発明の詳細な説明】
【技術分野】
【０００１】  本発明は、建物の雨樋等から取水した雨水を一時貯留して、緑化散水や雑水用途、防災等に供するための、地上に設置する雨水貯留装置に関するものである。
【背景技術】
【０００２】  建物の雨樋等から取水した雨水を一時貯留するために、天水桶型の容器が、地上に設置する雨水貯留装置の主流品として供されている。【０００３】  天水桶型の容器が専用の設置場所を必要とする一方、狭い場所でも設置できるように奥行または幅を抑えた扁平型の雨水貯留装置も供されている。【０００４】  必要な貯留量に対応するために、容器を上下に積み重ねられる雨水貯留装置、横に並べて増設することができる雨水貯留装置も供されている。
【先行技術文献】
【特許文献】
【０００５】
【特許文献１】特許第２６９５６０８号
【０００６】
【特許文献２】特許第３４０５６９４号
【０００７】
【特許文献３】特許第４３０１１７１号
【実用新案文献】
【０００８】
【実用新案文献１】
実用新案登録第３２００８７０号
【意匠登録文献】
【０００９】
【意匠登録文献１】
意匠登録第１２３０４６０号
【００１０】
【意匠登録文献２】
意匠登録第１４１４４７８号
【非特許文献】
【００１１】
【非特許文献１】特許公開平７−２２９１７２号
【００１２】
【非特許文献２】特許公開平８−３２６１０４号
【００１３】
【非特許文献３】特許公開平１１−２４１３７４号
【００１４】
【非特許文献４】特許公開２００３−１９３５２１号
【発明の開示】
【発明が解決しようとする課題】
【００１５】  建物の雨樋等から取水した雨水を一時貯留して利用するにあたり、専用の設置場所を設けることが困難な場合の解決方法として、狭い場所でも設置できるように奥行または幅を抑えた扁平型の雨水貯留装置が供されており、さらに必要な貯留量に対応するために、容器を上下に積み重ねたり、横に並べたりできる雨水貯留装置も供されているが、垂直水平両方向ともに容器の数を選択できるものは少なく、景観を配慮したものも少ない。【００１６】  本発明は、上記の課題を解決すべく、設置場所や必要な貯留量に応じて垂直水平両方向ともに容器の数を選択でき、景観に調和した意匠へと設計を加えることが容易にできる雨水貯留装置を提供する。【００１７】  本発明では、雨水貯留装置の高さや、景観に調和させる設計次第で、雨水貯留装置内部の清掃を頻繁に行うことが困難になる可能性を鑑み、メンテナンスを容易にする課題も合わせて解決する。
【課題を解決するための手段】
【００１８】  本発明の雨水貯留装置は、任意の数の貯水タンクを水平方向に接続して貯水タンク列を形成し、任意の数の貯水タンク列を垂直方向に組み上げる構成にしているので、望ましい幅と高さに設定することができる。また、貯水タンク列を垂直方向に組み上げる際の設計により、種々の材料のカバーを取り付けたり、プランター等と組み合わせたりすることが容易にできるので、外壁に沿って設置したり、塀の代用として設置したりしても、景観との調和を図ることができる。【００１９】  本発明は、貯水タンクを先に水平方向に並べて直列に連通させ、後に貯水タンク列を垂直方向に組んで、貯水タンク列間の上下流路を設けているので、上下流路を設ける位置、高さ、流路の大きさの設定により、建物の雨樋等から取水した雨水を、最上流の雨水流入口から最下流に設けたオーバーフロー管へ流出する過程で、全ての貯水タンクを通過させることができ、雨水の滞留による雑菌の繁殖を抑えることができる。【００２０】  本発明は、雨水を取り入れる流入口を設けた第一貯水タンクに、第一貯水タンク内の底部に溜まった雨水を排出するドレインを設けているので、ドレインの開栓で第一貯水タンク内の汚れを排出することができ、他の貯水タンクへの汚れの拡散を防ぐことができる。
【発明の効果】
【００２１】  本発明は、設置場所や希望の貯留量に応じて望ましい幅と高さに設定することができ、種々の材料のカバーを取り付けたり、プランター等と組み合わせたりする設計アレンジが容易にできるので、犬走り上の小規模な設置から、外壁に沿った大規模な設置まで、また塀の代用としての設置など、バリエーション豊かに景観に調和した雨水貯留装置を提供することができる。【００２２】  本発明は、雨が降ってオーバーフローする度に雨水貯留装置内の雨水が循環するので、雨水の滞留による雑菌の繁殖を抑えることができ、ドレインの開栓で雨水貯留装置内の汚れを防ぐことができ、メンテナンスが容易であるため、様々な形態での設置が可能となる。
【発明を実施するための最良の形態】
【００２３】  以下、本発明の実施の形態を図１〜図９に基づいて説明する。【００２４】  図１において、雨水貯留装置１の外観を表している。雨水貯留装置１は、背面を建物の壁に沿わせて設置し、前と左右の三面に木製カバー１１を取り付け、上部がプランター１５になった、腰壁型の雨水貯留装置である。右側面には、竪樋２１に取り付けた雨水取水装置２２からの雨水流入口７、貯めた雨水を利用するための雨水流出口８、オーバーフロー管９を設けている。【００２５】  図２において、図１に示す雨水貯留装置１で使用する組み立てフレーム１４を表している。支柱用長ボルト１７と、Ｌ型材をブレース１７ａでつないだ棚板１７から成り、設置面の不陸をネジ調整でき、上下の貯水タンク列３をつなぐ流路６を通すための貫通部を棚板面に大きく設けている。【００２６】  図３及び図４において、図１に示す雨水貯留装置１の組み立て方法を、時間を追って表している。【００２７】  図３において、コンクリートアンカー１６で固定した支柱用長ボルト１７に棚板１８を通して、ナットで高さ調整して固定する。予め側面に連通手段５であるワンタッチジョイント継手５ａを取り付けた貯水タンク２を、片端から棚板１８の上に載せ、次々と貯水タンク２をワンタッチジョイント継手５ａでつなぎ載せ、下段の貯水タンク列３をつくる。貯水タンク列３の側面の片方には上段の貯水タンク列３との流路６であるホースを取り付け、もう片方の側面には、雨水利用のための流出口８とオーバーフロー管９をつなぐ継手を取り付けておく。【００２８】  図４において、下段の貯水タンク列３ができた後、支柱用長ボルト１７に、カバー取り付け金物１１ａを通して下段の木製カバー１１を取り付け、上段用の棚板１８を通してナットで高さ調整して固定する。予め側面に連通手段５であるワンタッチジョイント継手５ａを取り付けた貯水タンク２を、片端から棚板１８の上に載せ、次々と貯水タンク２をワンタッチジョイント継手５ａでつなぎ載せ、上段の貯水タンク列３をつくる。貯水タンク列３の側面の片方には下段の貯水タンク列３との流路６であるホースを取り付ける。もう片方の側面には、雨水流入口７とドレイン管１０をつなぐ継手を取り付けておく。図１、図３および図４に示す雨水貯留装置１では、木製カバー１１がブレースの働きを兼ねている。【００２９】  図５において、図１に示す雨水貯留装置１と同じく図２の組み立てフレーム１４を使用して、図１とは異なる状態で使用する雨水貯留装置１ａを表している。雨水貯留装置１ａをコンクリートアンカー１６や木杭等で固定して塀として設置し、木製カバーに替えて、植物登攀できるメッシュカバー１２とフェルトやヤシ皮等の遮光材１２ａで四面を覆っている。この場合は、遮光材１２ａの内側に、図４におけるカバー取り付け金物１１ａを利用した支柱用ブレース１７ａを設けている。【００３０】  図６において、図１に示す雨水貯留装置１の内部を表し、図７において、図１に示す雨水貯留装置１の右側面の配管部を表している。【００３１】  図６において、個々の貯水タンク２はフロートボール式の通気手段４を取り付けた広口密閉容器で、側面に連通手段５としてワンタッチジョイント継手５ａを取り付けている。４個の貯水タンク２を連通して一段分の貯水タンク列３とし、上下２段の貯水タンク列３を組み立てフレーム１４で組み上げている。向かって左端の上下の貯水タンクは、上下流路６のホースで通水している。向かって右上の貯水タンクには、第一貯水タンク２ａとして雨水流入口７とドレイン１０を設けている。向かって右下の貯水タンクには、最終貯水タンク２ｂとしてオーバーフロー管９と、雨水利用のための流出口８を設けている。竪樋から取水した雨水は、第一貯水タンク２ａの雨水流入口７から入り、逆コの字を描いて最終貯水タンク２ｂに至り、全ての貯水タンクが満水になると、最終貯水タンク２ｂのオーバーフロー管９から押し出される。そのため、雨が降ってオーバーフローする度に全ての貯水タンク２を新鮮な雨水が通過して、滞留を防ぐことができる。【００３２】  さらに図６において、最も汚れの溜まる第一貯水タンク２ａにドレイン１０を設けているので、ドレイン１０を開栓して第一貯水タンク２ａ内の底部に溜まった汚れを排出することができる。この実施例の場合、第一貯水タンク２ａと次の貯水タンク２間の連通手段５の位置を高く設けているため、次に連なる貯水タンク２の水位２０ａが保たれ、雨水の流失を抑えることができる。【００３３】  図８において、図１とは異なる実施形態の雨水貯留装置１ａを表している。図６の説明で示したように４個の貯水タンク２を連通して一段分の貯水タンク列３とし、上中下３段の貯水タンク列３を、Ｌ型材の支柱と棚板から成る組み立てフレーム１４で組み上げている。貯水タンク列間の上下の流路６を、上段の貯水タンクの底面と下段の貯水タンクの上面の間に設け、ワンタッチジョイント継手で通水している。向かって右上の貯水タンクには、第一貯水タンク２ａとして雨水流入口７とドレイン１０を設けている。向かって右下の貯水タンクには、最終貯水タンク２ｂとしてオーバーフロー管９と、雨水利用のための流出口８を設けている。
竪樋から取水した雨水が、第一貯水タンク２ａの雨水流入口７から入り最終貯水タンク２ｂに至る過程で、全ての貯水タンクを滞留なく通過するように、中段の貯水タンク列３と下段の貯水タンク列３との間には、径の太さと高さの異なる上下流路６ａと上下流路６ｂを設けて、雨水の流れを調整している。【００３４】  図９において、図１及び図８と異なる実施形態の雨水貯留装置１ｂを、雨水の流れを示す矢印とともに表している。雨水貯留装置１ｂは中央に抜き窓があるため、中段２列の貯水タンク列が左右に分かれているが、図８で示したように、径の太さと高さの異なる上下流路６ａと上下流路６ｂを設けて雨水の流れを調整することで、雨水を滞りなく循環させることができる。
【図面の簡単な説明】
【００３５】
【図１】本発明の実施形態を示す雨水貯留装置１の外観斜視図。
【図２】図１に示す雨水貯留装置で使用する組み立てフレームの上面図。
【図３】図１に示す雨水貯留装置の組み立て方法を表す外観斜視図。
【図４】図１に示す雨水貯留装置の組み立て方法を表す外観斜視図。
【図５】図１に示す雨水貯留装置の図１とは異なる使用状態を表す外観斜視図。
【図６】図１に示す雨水貯留装置を正面から見た、貯水タンクの中心を通る縦断面図。
【図７】図１に示す雨水貯留装置の右側カバーを透過して見た右側面図。
【図８】図１とは異なる実施形態の雨水貯留装置１ａを正面から見た、貯水タンクの中心を通る縦断面図。
【図９】図１とは異なる実施形態の雨水貯留装置１ｂと雨水の流れを表す外観正面図。
【符号の説明】
【００３６】１．    雨水貯留装置１
１ａ．  雨水貯留装置１ａ
１ｂ．  雨水貯留装置１ｂ
２．    貯水タンク
２ａ．  第一貯水タンク
２ｂ．  最終貯水タンク
３．    貯水タンク列
４．    通気手段
５．    連通手段
５ａ．  ワンタッチジョイント継手
６．    上下の流路
６ａ．  太い上下の流路
６ｂ．  細い上下の流路
７．    雨水取水装置からの流入口
８．    雨水利用のための流出口
９．    オーバーフロー管
１０．  ドレイン管
１１．  木製カバー
１１ａ．カバー取り付け金物
１２．  メッシュカバー
１２ａ．遮蔽材
１３．  壁型カバー
１４．  組み立てフレーム
１５．  プランター
１６．  コンクリートアンカー
１７．  支柱用長ボルト
１７ａ．支柱用ブレース
１８．  棚板
１８ａ．棚板用ブレース
１９．  支柱用Ｌ型材
１９ａ．棚受け
２０ａ．水位１
２０ｂ．水位２
２０ｃ．水位３
２１．  竪樋
２２．  雨水取水装置
【図１】
2017193938.tif 000003
【図２】
2017193938.tif 000004
【図３】
2017193938.tif 000005
【図４】
2017193938.tif 000006
【図５】
2017193938.tif 000007
【図６】
2017193938.tif 000008
【図７】
2017193938.tif 000009
【図８】
2017193938.tif 000010
【図９】
2017193938.tif 000011